(57)【要約】      （修正有）【課題】日本の伝統的な生地である着物地や浴衣地の反物から、アオザイやチャイナドレス等のアジア民族衣装を縫製することを可能とし、衣服デザインの多様化のできる衣服を提供する。【解決手段】本考案に係る衣服（アオザイ、チャイナドレス等）は、幅約５３ｃｍ〜６２ｃｍの、シルク１００％の着物地や、綿１００％の浴衣地の反物１から切り出した前身頃３と後身頃４とをスリット７を形成しつつ貼り合わせ、これに衿６及び袖５が縫いつけられて構成する。【選択図】図３
0003102337.tif 000002
【実用新案登録請求の範囲】
【請求項１】
アオザイやチャイナドレス等の衣服であって、
前記衣服を構成する前身頃又は後身頃の少なくとも一つが、継ぎ目のない一枚生地で形成され、
該一枚生地は、その幅が約５３ｃｍ以上の反物から切り出されていることを特徴とする衣服。
【請求項２】
前記一枚生地は、シルク１００％であることを特徴とする請求項１に記載の衣服。
【請求項３】
前記一枚生地は、綿１００％であることを特徴とする請求項１に記載の衣服。
【請求項４】
前記反物は、その幅が約６２ｃｍであることを特徴とする請求項１に記載の衣服。
【考案の詳細な説明】
【技術分野】
【０００１】
本考案は、アオザイやチャイナドレス等の衣服に関する。
【背景技術】
【０００２】
従来より、アオザイやチャイナドレス等のアジア民族の衣服は、前身頃と後身頃を貼り合わせ、必要に応じて衿や袖を縫いつけている。一方、日本の民族衣装である着物や浴衣は、反物と呼ばれる一反に仕上げた織物から各生地を切り出して、縫製している。
【０００３】
近年にあっては、衣服デザインの多様化が図られ、アジア民族のデザインと和服のデザインとの融合も進んでおり（例えば、非特許文献１参照）、日本の着物地や浴衣地を用いたアオザイやチャイナドレス等を縫製する試みも行われている。
【非特許文献１】鈴木  てる子、新居  由美子、新居  三恵子  著「きものリフォーム  スタイルブック」，２００３年１０月，永岡書店
【考案の開示】
【考案が解決しようとする課題】
【０００４】
しかしながら、上述したように着物地や浴衣地で、アオザイやチャイナドレス等の民族衣装を縫製しようとした場合、着物地や浴衣地は、幅約九寸（約２７．３ｃｍ）の反物となっているため、アオザイやチャイナドレスなど前身頃が一枚生地で形成されている衣服は、縫製できないという問題があった。このため、従来では、二枚の生地を継ぎ合わせて一枚布を形成し、前身頃や後身頃を形成していた。
【０００５】
ところが、二枚の生地を継ぎ合わせる場合には、本来一枚布で形成されている身頃に縫い目が入ってしまうため、生地の模様に不連続な部分が生じるなど、デザイン上の障害が発生し、デザイン多様化の制約となっていた。
【０００６】
そこで、本考案は、上記課題を解決すべくなされたものであり、日本の伝統的な生地である着物地や浴衣地でアオザイやチャイナドレスを縫製することを可能とし、衣服デザインの多様化を図ることのできる衣服を提供することを目的とする。
【課題を解決するための手段】
【０００７】
上記課題を解決するために本考案は、アオザイやチャイナドレス等の衣服であって、衣服を構成する前身頃又は後身頃の少なくとも一つが、継ぎ目のない一枚生地で形成され、この一枚生地は、その幅が約５３ｃｍ以上の反物から切り出されていることを特徴とする。なお、本考案において、前記一枚生地は、シルク１００％又は綿１００％とすることができる。また、前記一枚生地は、約６２ｃｍであることが好ましい。
【考案の効果】
【０００８】
以上説明したように、本考案によれば、日本の伝統的な生地である着物地や浴衣地の反物から、アオザイやチャイナドレス等のアジア民族衣装を縫製することが可能となり、衣服デザインの多様化を図ることができる。
【考案を実施するための最良の形態】
【０００９】
以下、本考案の実施形態を図面に基づいて説明する。図１は本考案の実施形態に係る反物を示す斜視図である。
【００１０】
本実施形態に係る衣服は、図１に示すように、幅が６２ｃｍの反物１から切り出した布地２を用いて、アオザイやチャイナドレスを縫製する。この反物１は、シルク１００％の着物地や、綿１００％の浴衣地を芯材１ａに巻いたロール状体であり、布地２は、白生地を染色し絵柄（刺繍や染め、プリント等）が付されている。なお、本実施形態では、この反物の幅を６２ｃｍとしたが、一枚生地からなる前身頃や後身頃を切り出せる幅、すなわち約５３ｃｍ以上であればよい。
【００１１】
次いで、本実施形態に係る衣服の例について説明する。図２（ａ）及び（ｂ）は、本考案の衣服であるアオザイの構成を示す斜視図であり、図３及び図４は、上記アオザイ１０の展開図である。
【００１２】
本実施形態に係るアオザイ１０は、シルク１００％の着物地で形成されており、同図に示すように、前身頃３と後身頃４とを、スリット７を形成しつつ貼り合わせ、これに衿６及び袖５が縫いつけられて構成されている。
【００１３】
図３（ａ）及び図４（ａ）に示すように、前身頃３及び後身頃４は、全長が１３５ｃｍ（縫い代５．０ｃｍを含む。）で、幅が５３ｃｍ（縫い代３ｃｍを含む。）の一枚布である。そして、これらの衿部分に図３（ｂ）に示す衿（表衿及び裏衿を各二枚）を縫いつけるとともに、図３（ｃ）に示すような長さ７５ｃｍ、幅３９ｃｍの袖（二枚）を縫いつける。なお、この袖は、必要に応じて省略して袖無しとしたり、長さを短くして半袖としたり、別の生地（シースルー生地）とすることができる。
【００１４】
また、本実施形態では、あきの部分や襟ぐり・袖口などの始末として図４（ｂ）に示すような長さ４０ｃｍ（縫い代２．０ｃｍを含む。）、幅５３ｃｍの身返し８を縫製する。これらの各生地は、最大幅が５３ｃｍ以内であるため、反物１から一枚布として切り出すことができる。
【００１５】
なお、上述した実施形態では、着物地によりアオザイを縫製する場合について説明したが、本考案はこれに限定されるものではなく、綿１００％の浴衣地からアオザイを縫製することもできる。図５は、浴衣時のアオザイの展開図である。
【００１６】
図５に示すように、浴衣地のアオザイにおいても、前身頃３と後身頃４とを、スリット７を形成しつつ貼り合わせ、これに衿６等が縫いつけられて構成される。なお、ここで例示したアオザイは、袖無しのものである。
【００１７】
詳述すると、前身頃３は、全長が１３５ｃｍ（縫い代５．０ｃｍを含む。）で、幅が５３ｃｍ（縫い代３ｃｍを含む。）の一枚布である。また、後身頃４は全長が１３５ｃｍ（縫い代５．０ｃｍを含む。）で、幅が２８ｃｍ（縫い代３ｃｍを含む。）の二枚布で形成され、ファスナー４ａで結合される。これらの各生地も、最大幅が５３ｃｍ以内であるため、反物１から一枚布として切り出すことができる。
【００１８】
上述した実施形態では、本考案の衣服としてアオザイを縫製する場合を例に説明したが、例えば、図６（ａ）に示すようなチャイナドレス１１や、同図（ｂ）に示すようなミニチャイナドレス１２についても、本考案を適用することができる。これらのチャイナドレス１１やミニチャイナドレス１２においても、上述したアオザイ１０と同様に、シルク１００％の着物地や綿１００％の浴衣地からなる前身頃３と後身頃４とを、スリット７を形成しつつ貼り合わせ、必要に応じて、衿６や袖５を縫いつけて構成する。これらの各生地も、最大幅が５３ｃｍ以内であるため、反物１から一枚布として切り出すことができる
以上説明した本考案によれば、日本の伝統的な生地である着物地や浴衣地の反物から、アオザイやチャイナドレス等のアジア民族衣装を縫製することが可能となり、衣服デザインの多様化を図ることができる。
【図面の簡単な説明】
【００１９】
【図１】実施形態に係る反物を示す斜視図である。
【図２】実施形態に係るアオザイの構成を示す斜視図である。
【図３】実施形態に係るアオザイの展開図である。
【図４】実施形態に係るアオザイの展開図である。
【図５】実施形態に係るアオザイ（袖無し）の展開図である。
【図６】実施形態に係るチャイナドレス及びミニチャイナドレスの構成を示す三面図（正面図、側面図、背面図）である。
【符号の説明】
【００２０】
１…反物
１ａ…芯材
２…布地
３…前身頃
４…後身頃
４ａ…ファスナー
５…袖
６…衿
７…スリット
１０…アオザイ
１１…チャイナドレス
１２…ミニチャイナドレス
【図１】
0003102337.tif 000003
【図２】
0003102337.tif 000004
【図３】
0003102337.tif 000005
【図４】
0003102337.tif 000006
【図５】
0003102337.tif 000007
【図６】
0003102337.tif 000008